(57)【要約】【課題】  揺動角θで揺動運動を行う転がり軸受１において、保持器７から固体潤滑剤を転動体６を介して内輪２の軌道面４と外輪３の軌道面５に適切に移着されるようにして、潤滑不良の発生を防止する。【解決手段】  保持器７から固体潤滑剤を、転動体６を介して内輪２の軌道面４と外輪３の軌道面５とに移着させるための軸受仕様を、転動体ピッチ円径(dp)と転動体径(dw)との関係式から導いた。【選択図】  図１
2017172649.tif 000002
【特許請求の範囲】
【請求項１】
外周面に軌道面が形成された内輪と、内周面に軌道面が形成された外輪と、前記内輪と外輪の軌道面との間に組み込まれる複数の転動体と、前記内輪及び外輪の間に組み込まれ、転動体を介して固体潤滑剤を内輪の軌道面と外輪の軌道面とに移着させる保持器とを備え、揺動角θで揺動運動を行う転がり軸受において、転動体ピッチ円径(dp)と転動体径(dw)の関係が、次式を満足する軸受仕様であることを特徴とする転がり軸受。
【数１】
2017172649.tif 000010
但し、dp：転動体ピッチ円径［mm］
dw：転動体径［mm］
θ：内輪揺動角［°］
α：接触角［°］
【請求項２】
保持器から供給する固体潤滑剤として、二硫化モリブデン、二硫化タングステン、グラファイト、ポリテトラフルオロエチレンのいずれかを用いた請求項１に記載の転がり軸受。
【請求項３】
宇宙空間用として使用される前記請求項１又は２に記載の転がり軸受。
【請求項４】
アンギュラ玉軸受である請求項１〜３のいずれかに記載の転がり軸受。
【発明の詳細な説明】
【技術分野】
【０００１】
この発明は、固体潤滑方式の転がり軸受に関し、特に、揺動運動を行なう装置に好適に使用される転がり軸受に関する。
【背景技術】
【０００２】
内輪の外周面と外輪の内周面とにそれぞれ形成された軌道面の間に、玉やころなどの転動体を組み込み、各転動体相互の間の間隔を保つ保持器を備えた転がり軸受の潤滑方式は、軸受の用途や目的に応じて適宜好適なものが採用されている。例えば、宇宙空間など極低温真空環境での使用を目的とする場合には、固体潤滑方式が採用されることが多い（特許文献１）。
【０００３】
固体潤滑方式の転がり軸受は、例えば、潤滑剤を供給する機能を有した保持器から転動体を介して潤滑剤を内・外輪軌道面に供給する構成を採用する。
【先行技術文献】
【特許文献】
【０００４】
【特許文献１】特開平２−２０８５４号公報
【発明の概要】
【発明が解決しようとする課題】
【０００５】
ところで、宇宙空間で使用されるアンテナ支持部用等の軸受では、固体潤滑方式のもとで揺動運動を伴いながら高回転精度での運転が求められるため、高剛性化を目的に予圧を負荷した状態で使用される。そのような軸受の場合、固体潤滑剤の破断を防ぐため、転動体と軌道面間での接触面圧の低減や軸受の負荷容量の向上を目的として、可能な限り転動体径を大きくすることが望ましい。
【０００６】
しかしながら、固体潤滑剤を供給する機能を有した保持器から転動体を介して固体潤滑剤を内・外輪軌道面に移着させる潤滑方式で揺動運動をする転がり軸受の場合、転動体ピッチ円径(dp)に対して転動体径(dw)が大きすぎると、内・外輪軌道面への固体潤滑剤の移着が適切に行われず、潤滑不良が発生する。
【０００７】
すなわち、図３に示すように、揺動角θで揺動運動を行う転がり軸受１の場合、保持器７から転動体６を介して固体潤滑剤を内輪２の軌道面４と外輪３の軌道面５に移着させるためには、図４(ａ)に示すように、転動体６は少なくとも180°（1/2回転）以上自転する必要がある。ここで、図４(ｂ)に示すように、転動体ピッチ円径(dp)に対して転動体径(dw)が大きすぎると、転動体は180°（1/2回転）以上自転することができず、保持器７から転動体６を介して固体潤滑剤を内輪２の軌道面４と外輪３の軌道面５に移着させることができない。
【０００８】
そこで、この発明は、揺動角θで揺動運動を行う転がり軸受において、保持器から転動体を介して固体潤滑剤を内輪の軌道面と外輪の軌道面に適切に移着されるようにして、潤滑不良の発生を防止することを課題とする。
【課題を解決するための手段】
【０００９】
上記の課題を解決するため、この発明は、保持器から転動体を介して固体潤滑剤を内輪の軌道面と外輪の軌道面に移着させるための軸受仕様を、転動体ピッチ円径(dp)と転動体径(dw)との関係から次のようにして導いたものである。
【００１０】
内輪回転の場合、転動体の自転数ｎa[rpm]と内輪回転数ｎi[rpm]の関係は式(１)で表される。
【００１１】
【数１】
2017172649.tif 000003
（1）
ここで、dp：転動体ピッチ円径［mm］、dw：転動体径［mm］、θ：内輪揺動角［°］、α：接触角［°］である。
【００１２】
次に、1分間あたりの揺動回数nに対して、内輪回転数は式(2)で表される。
【００１３】
【数２】
2017172649.tif 000004
【００１４】
1回の揺動に着目するとｎ=1となり、1回の揺動で転動体が180°（1/2回転）以上自転するための条件は、式(1)及び(2)から以下となる。
【００１５】
【数３】
2017172649.tif 000005
（3）
【００１６】
式(3)をdp/dwについて整理すると、式(4)が得られる。
【００１７】
【数４】
2017172649.tif 000006
(4)
【００１８】
式(4)より、以下の関係式(5)が導かれる。
【００１９】
【数５】
2017172649.tif 000007
【発明の効果】
【００２０】
この発明によれば、上記式(5)に基づき、保持器から転動体を介して固体潤滑剤を内輪の軌道面と外輪の軌道面に移着させるのに必要なｄｐ／ｄｗを求めることができる。
【図面の簡単な説明】
【００２１】
【図１】本発明の実施形態の転がり軸受の断面図である。
【図２】図１の転がり軸受に用いられる保持器の構成を示す斜視図である。
【図３】保持器からの固体潤滑剤の移着によって運転する転がり軸受の側面図である。
【図４】（ａ）（ｂ）は、同一の転動体ピッチ円径dpを有する転がり軸受における転動体の自転運動を比較した側面図であり、（ａ）はdp/dwが大きい軸受、（ｂ）はdp/dwが小さい軸受を示している。
【図５】揺動角と内・外輪軌道面への固体潤滑剤の移着に必要なdp/dw、軸受の接触面圧及び負荷容量の関係を示すグラフである。
【発明を実施するための形態】
【００２２】
以下、この発明の実施の形態を説明する。
【００２３】
この発明にかかる転がり軸受は、宇宙空間などの極低温環境下での使用に適用した転がり軸受であり、例えば、人工衛星などに用いられる。
【００２４】
この転がり軸受１は、図１に示すように、外周面に軌道面４を有する内輪２と、内周面に軌道面５を有する外輪３と、内輪２の軌道面４と外輪３の軌道面５の間に配置された複数の転動体である玉６と、この複数の玉６を周方向に間隔をおいて保持する保持器７とを備えるアンギュラ玉軸受である。
【００２５】
内輪２、外輪３、及び玉６は、通常の軸受材料を使用することができ、例えば、マルテンサイト系ステンレス鋼を用いることができる。なお、玉６としては、セラミックスボールであってもよい。セラミックスを使用する場合、窒化珪素（Ｓｉ3Ｎ4）、炭化珪素（ＳＩＣ）、アルミナ（ＡＩ2Ｏ3）、ジルコニア（ＺｒＯ2）、サイアロン等が挙げられる。
【００２６】
保持器７は、金属又は合成樹脂で構成され、図２に示すように、玉６が１つずつ収容される複数のポケット８を有し、図示例では２０個のポケット８が円周方向等間隔に設けられる。玉６は、各ポケット８のポケット面８ａで接触支持されて、ポケット８内に保持される。本実施形態にかかる転がり軸受１に使用される保持器７は、径方向の位置が外輪３の内周面によって案内される外輪案内方式の保持器となっている。図示を省略しているが、この転がり軸受１の潤滑は、固体潤滑方式であり、保持器７のポケット面８ａに固体潤滑剤又はこれを含んだ複合体による固体潤滑層が設けられる。更に、例えば、ガラス繊維にＰＴＦＥ（ポリテトラフロオロエチレン）を含侵させ、表層のガラス繊維を溶かしてＰＴＦＥ層を表面に露出させた保持器なども用いられる。母体表面にのみ設けた潤滑被膜は摩耗すると潤滑性能が消失するが、この場合、表層が摩耗しても順次潤滑層が現れるので潤滑性能は維持される。固体潤滑剤としては、グラファイト、二硫化タングステン又は二硫化モリブデン、ＰＴＦＥが使用される。また、保持器７から適量の潤滑剤が供給され、運転時において、ポケット面８ａに接触する玉６を介して内輪２及び外輪３の軌道面４、５に供給される。
【００２７】
なお、以上の実施形態は、アンギュラ玉軸受について述べたが、本発明は、アンギュラ玉軸受に限定されるものではなく、例えば、深溝玉軸受、４点接触玉軸受、自動調心玉軸受、円筒ころ軸受、円錐ころ軸受、自動調心ころ軸受など、密封型の種々の転がり軸受に適用可能である。
この発明によれば、上記のように、式(5)を基に、各揺動角θ毎に対して保持器７から固体潤滑剤を、玉６を介して内輪２及び外輪３の軌道面４、５に移着させるのに必要なdp/dwを表1の通り求めることができる。
【００２８】
揺動角θと内輪２及び外輪３の軌道面４、５への固体潤滑剤の移着に必要なdp/dwと、転がり軸受１の接触面圧及び負荷容量の関係は図５の通りであり、転動体が180°(1/２回転）以上自転可能な範囲は図５の斜線部分である。転動体が180°(1/２回転）以上自転可能であり、最も軸受の接触面圧を低減させ、軸受の負荷容量を大きくすることができるのは、転動体ピッチ円径(dp)と転動体径(dw)の関係が図５の放物線上にあたる式(6)の関係を満足する仕様の時である。
【００２９】
【数６】
2017172649.tif 000008
【００３０】
【表１】
2017172649.tif 000009
【００３１】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００３２】
１        ：転がり軸受
２        ：内輪
３        ：外輪
４        ：内輪軌道面
５        ：外輪軌道面
６        ：玉
７        ：保持器
８        ：保持器ポケット
８ａ      ：保持器ポケット面
θ        ：揺動角
【図１】
2017172649.tif 000011
【図２】
2017172649.tif 000012
【図３】
2017172649.tif 000013
【図４】
2017172649.tif 000014
【図５】
2017172649.tif 000015